(57)【要約】【課題】  転動部に受け入れられる遊技球の移動速度を削ぐことなく、遊技球の転動による演出を可能とする構造を提供する。【解決手段】  受け入れた遊技球は、円弧状の第３案内部７３ａ、７３ｂ、および第４案内部７４、第５案内部７５によって案内されて、ループ状の軌跡を描き、遊技球の初速の低下が抑制される。また、勢いが低下した遊技球は、中央の特定転動部７６に転入し、円弧状の第１案内路７１によって転動速度の低下を抑制されつつ転動し、排出口７６１へ導かれる。特定転動部７６内に位置する第２案内路７２に載った遊技球は、始動入賞口に最も入りやすいルートで排出される。【選択図】  図２
2006230826.tif 000002
【特許請求の範囲】
【請求項１】
遊技球を用いる遊技盤の遊技領域に画像表示装置を備えた遊技機であって、
前記画像表示装置の下側に位置し、受け入れられた遊技球が転動する転動部と、
前記転動部下方の遊技領域に位置し、遊技球が入賞可能な入賞口と、
前記転動部内に設けられ、遊技球の転動軌跡が円弧となるように案内する第１案内路と、
前記第１案内路で囲まれ、遊技球を遊技盤前面側へ導く特定転動部と、
前記特定転動部内の遊技球を遊技盤前面側へ排出する排出口と、
前記特定転動部内に設けられ、遊技球の転動方向の延長線が、前記入賞口の鉛直上方を通過するように遊技球を案内する第２案内路とを備えることを特徴とする遊技機。
【請求項２】
前記第１案内路は、前記第２案内路に接続されている請求項１に記載の遊技機。
【請求項３】
前記転動部は、一端部に遊技球を導入する導入口と、他端部に、該導入口から導入された遊技球を案内し、該遊技球の転動方向を反転させる円弧状の第３案内路を有し、
前記特定転動部は、前記第３案内路の内側で、かつ前記第３案内路より低い位置に配置されている請求項１又は２に記載の遊技機。
【請求項４】
前記第３案内路は、前記転動部内の両端に設けられ、両端の第３案内路の始端と終端を接続する第４案内路及び第５案内路を有し、
第４案内路は、特定転動部の前面側に位置しており、
第３案内路、第４案内路及び第５案内路によって案内される遊技球の軌跡がループとなる請求項３に記載の遊技機。
【請求項５】
前記第１案内路の終端部は、前記第２案内路の基端部に接続され、接続角度は、鋭角となっている請求項２〜４のいずれか１に記載の遊技機。
【請求項６】
前記転動部には、前記排出口から遊技盤前面側へ遊技球を案内する排出案内部が設けられ、
前記第２案内路の終端は、前記排出口内に位置しており、
前記排出口と前記排出案内部の接続部分には、前記排出口側が上段となる段部が設けられている請求項１〜５のいずれか１に記載の遊技機。
【請求項７】
前記転動部は、遊技球を受け入れるための受入口を有し、
前記排出案内部は、前記受入口から前記転動部内に受け入れられた遊技球が通過する第４案内路内に設けられている請求項３〜６のいずれか１に記載の遊技機。
【発明の詳細な説明】
【技術分野】
【０００１】
本発明は、遊技機に係り、詳しくは、遊技領域に設けられた表示装置の表示部外周部を装飾する装飾部材を有する遊技機に関するものである。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。
【０００３】
パチンコ遊技機においては、遊技盤中央に液晶パネルなどを用いた図柄変動表示装置を設けたものがあり、入賞に応じて抽選状態や抽選結果などの図柄を変動表示することができるようになっている。この図柄を表示する表示装置には、その周囲を囲む装飾部材が設けられ、この装飾部材には、演出の内容に応じて点滅するランプや、動くキャラクターが設けられているものもある。
【０００４】
ところで、パチンコ遊技機には、遊技盤面に繰り出されたパチンコ球の流下態様に変化を持たせる目的で、図柄変動表示装置の上方から流下するパチンコ球の一部を図柄変動表示装置の下辺に位置する装飾部材内に導入し、図柄変動表示装置内に設けられている通過路を経由して図柄変動表示装置の下部に設けてある始動入賞口に導くようにした構成がある。（特許文献１）
上記特許文献１には、図柄変動表示装置の上方に設けられている飛び込み口に入ったパチンコ球を図柄変動表示装置の枠体における液晶表示面側方に設けられた通路、いわゆる、ワープ通路を介して図柄変動表示装置の枠体の下部で前記通路に連続する平板状のステージに向けて導き、ステージ上で揺動させたうえでステージ中央に形成されている凹部に導くことにより始動入賞口に向かいやすい状態で排出する構成が開示されている。
【０００５】
上記特許文献１には、図柄変動表示装置の上方に設けられている飛び込み口に入ったパチンコ球を図柄変動表示装置の枠体における液晶表示面側方に設けられた通路、いわゆる、ワープ通路を介して図柄変動表示装置の枠体の下部で前記通路に連続する平板状のステージに向けて導き、ステージ上で揺動させたうえでステージ中央に形成されている凹部に導くことにより始動入賞口に向かいやすい状態で排出する構成が開示されている。
【特許文献１】特開平９−２７６４８９号公報（段落「０００２」欄）。
【発明の開示】
【発明が解決しようとする課題】
【０００６】
上記特許文献１に開示されているような遊技機においては、パチンコ球が単純に流下するだけでなく、流下するパチンコ球の一部、つまり飛び込み口に入ったパチンコ球が別個のルートに導かれ、再度現出した際には図柄変動表示装置の下方に位置する始動入賞口に向けて落下しやすい状態とされることで入賞への期待度を高めることができる。
【０００７】
しかし、図柄変動表示装置の枠体に設けられているステージ上に排出された際には、特許文献１にも開示されているように、平板状の表面に緩やかな傾斜を持たせた構成とすることでステージ上に排出されたパチンコ球が左右に揺動するだけであるので、パチンコ球の動きを追うだけの単純な遊技内容となってしまうのは否めない。
【０００８】
一方、ステージ上には、飛び込み口に入ったパチンコ球だけではなく、枠体の下方に設けられている釘に弾かれて跳ね返ったパチンコ球も存在し、これらのパチンコ球が一斉に揺動し始めると次に排出されるパチンコ球の移動が阻害され、ステージ上でのパチンコの動きによる演出効果が半減する。
【０００９】
換言すれば、ステージ上に位置するパチンコ球の動きが、始動入賞口にパチンコ球が入るか否かを予想することによる遊技者の期待感を早期に削いでしまうこととなり、十分な興趣性が得られない。 
また、ステージ上に、始動入賞口に入る確率の極めて高い特定のルートを設けてしまうと、ステージ上の遊技球のほとんどが入賞することとなり、かえって上記のような期待感が得られず、遊技者の興味がそがれてしまうといった問題もある。
【００１０】
また、単に左右方向にガイドするルートを設けた場合には、ワープ通路を介して転がり込んだ遊技球が、反対側の端面に衝突し、球の勢いが削がれてしまうため、遊技球の勢いを十分に利用した演出をすることが難しい。
【００１１】
本発明の目的は、図柄変動表示装置の枠体に設けられている転動部に受け入れられる遊技球の移動速度を削ぐことなく、下方の釘に弾かれて転動部上に載った遊技球についても、遊技球の転動による演出を可能し、興趣性を向上させることができる構成を備えた遊技機を提供することにある。
【課題を解決するための手段】
【００１２】
以上のような問題を解決する本発明は、以下のような構成を有する。 
（１）  遊技球を用いる遊技盤の遊技領域に画像表示装置を備えた遊技機であって、
前記画像表示装置の下側に位置し、受け入れられた遊技球が転動する転動部と、
前記転動部下方の遊技領域に位置し、遊技球が入賞可能な入賞口と、
前記転動部内に設けられ、遊技球の転動軌跡が円弧となるように案内する第１案内路と、
前記第１案内路で囲まれ、遊技球を遊技盤前面側へ導く特定転動部と、
前記特定転動部内の遊技球を遊技盤前面側へ排出する排出口と、
前記特定転動部内に設けられ、遊技球の転動方向の延長線が、前記入賞口の鉛直上方を通過するように遊技球を案内する第２案内路とを備えることを特徴とする遊技機。
【００１３】
（２）  前記第１案内路は、前記第２案内路に接続されている上記（１）に記載の遊技機。
【００１４】
（３）  前記転動部は、一端部に遊技球を導入する導入口と、他端部に、該導入口から導入された遊技球を案内し、該遊技球の転動方向を反転させる円弧状の第３案内路を有し、
前記特定転動部は、前記第３案内路の内側で、かつ前記第３案内路より低い位置に配置されている上記（１）又は（２）に記載の遊技機。
【００１５】
（４）  前記第３案内路は、前記転動部内の両端に設けられ、両端の第３案内路の始端と終端を接続する第４案内路及び第５案内路を有し、
第４案内路は、特定転動部の前面側に位置しており、
第３案内路、第４案内路及び第５案内路によって案内される遊技球の軌跡がループとなる上記（３）に記載の遊技機。
【００１６】
（５）  前記第１案内路の終端部は、前記第２案内路の基端部に接続され、接続角度は、鋭角となっている上記（２）〜（４）のいずれか１に記載の遊技機。
【００１７】
（６）  前記転動部には、前記排出口から遊技盤前面側へ遊技球を案内する排出案内部が設けられ、
前記第２案内路の終端は、前記排出口内に位置しており、
前記排出口と前記排出案内部の接続部分には、前記排出口側が上段となる段部が設けられている上記（１）〜（５）のいずれか１に記載の遊技機。
【００１８】
（７）  前記転動部に遊技球を受け入れるための受入口を有し、
前記排出案内部は、前記受入口から前記転動部内に受け入れられた遊技球が通過する第４案内路内に設けられている上記（３）〜（６）のいずれか１に記載の遊技機。
【発明の効果】
【００１９】
請求項１記載の発明によれば、転動部において、受け入れられた遊戯球が転動することにより、遊技球が下側に位置する入賞口に入るか否かを遊技者に期待させるといった演出効果がえられる。そして、第１案内路で囲まれた特定転動部は、転動部に受け入れられた遊技球を、転動可能な状態で収容し、排出口から遊技盤の前面側へ排出する。排出口へは、第１案内路に沿って排出される遊技球と、第２案内路に沿って排出される遊技球、その他特定転動部内から第１、第２案内路のいずれの経路にもよらずに排出される遊技球が存在する。転動部内から排出される遊技球の内、第２案内路に載った遊技球は、入賞口に入る方向に案内され、排出口から排出されるので、入賞口に入る確率が、排出口から排出される他の遊技球に比較した極めて高くなり、遊技者の期待も特に高くなる。 
つまり、特定転動部に収容される遊技球には、入賞口に入る確率が高いルートの遊技球とそうでない遊技球が存在することで、転動部に受け入れられた遊技球の動きを注視するようになり、遊技者の遊技に対する興趣性が向上する。
【００２０】
請求項２に記載の発明によれば、第１案内路は、前記第２案内路に接続されているので、第１案内路に案内された第２案内路へ向けて案内された遊技球は、転動方向を第１案内路の方向へ案内されつつ、転動する。このため、第２案内路の案内ルートに載った遊技球の転動ルートは、第２案内路に交差することとなり、転動する遊技球が第２案内路に交差した時点で、遊技球が第２案内路に載って入賞口へガイドされる、とする期待が高まり、遊技者に対する演出効果が増進される。
【００２１】
請求項３に記載の発明によれば、転動部の一端に位置する導入口から受け入れられた遊技球は、導入時の運動エネルギーによって転動し、他端方向へ転動する。遊技球が到達した転動部の他端では、第３案内路によって、遊技球の転動方向が円弧状に案内され、最終的に転動方向が反転される。一方、特定転動部は、第３案内路よりも低い位置に設けられているので、第３案内路に案内された遊技球は、最終的に特定転動部内へ導かれるか、又は遊技盤の前面側に排出される。 
このように、転動部内に受け入れられた遊技球は、単に１次元方向に（左右方向に）往復動するのみでなく、２次元的に転動する（平面内を転動する）ので、遊技者の遊技球の動きに対する興味が増し、興趣効果が向上する。
【００２２】
請求項４に記載の発明によれば、第３案内路が両端に設けられ、第３案内路の始端と終端を接続する第４案内路及び第５案内路によって、遊技球の軌跡がループ状（環状）となるように、構成されている。このため、ループを描きながら転動する遊技球の一部は、特定転動部に収容され、一部は、遊技盤の前面側に落下するなど、複数のルートを採る余地が生じ、遊技球の行方に対する遊技者の興味が増す。
【００２３】
請求項５に記載の発明によれば、第１案内路の終端部は第２案内路の基端部に接続され、接続角度は鋭角となっているので、第１案内路にガイドされて転動してきた遊技球は、第２案内路に載ってガイドされる確率が高くなり、遊技者に対する、入賞口に遊技球が入るという期待を高めることができる。
【００２４】
請求項６に記載の発明によれば、排出口には、前面側が下段となる段部が設けられているので次のような効果が生じる。第２案内路によらず、排出口に到達した特定転動部内の遊技球は、第２案内路に載るまえに、段部から排出案内部内に落下し、排出される確率が高くなるので、遊技球は第２案内路に容易に接続されず、入賞口に遊技球が入る確率を抑えることができる。また、第２案内路によって案内されて排出される遊技球も、段部を通過する際に、排出案内部に落下するため、転動方向が落下により変更されることとなり、入賞口に遊技球が入る確率が抑えられる。 
このように、段部の形成により、遊技球の入賞口に入る確率が抑えられ、遊技者に対して、遊技球が入賞口に入るという期待度を適度に高めることができる。
【００２５】
請求項７に記載の発明によれば、受入口から転動部内に受け入れられた遊技球は、最初に第４案内路を通過する。この際、排出案内部が第４案内路に位置しているので、排出口から排出された遊技球と、受け入れられた遊技球が接触こと場合もある。このように、排出口から排出される遊技球は、第２案内路によって案内された遊技球であったとしても、第４案内路を通過する遊技球との接触によって排出方向が変更されることとなり、遊技球が入賞口に容易に入らない構成となる。このため、遊技球の入賞口に入る確率が抑えられ、遊技者に対して、遊技球が入賞口に入るという期待度を適度に高めることができる。
【発明を実施するための最良の形態】
【００２６】
図１は、本実施形態における遊技機を示す図である。以下、本明細書において、遊技機の遊技者が配置される側を前面又は前側として表現し、遊技者の配置位置に対して反対側を後面又は後側とする。 
図１においてパチンコ遊技機１００は、外郭方形枠サイズに形成されて縦長の固定保持枠を構成する外枠１の開口前面に、外枠１に合わせて方形枠サイズに形成された開閉搭載用の前枠２を備えている。
【００２７】
前枠２は、外枠１の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。 
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
【００２８】
遊技領域６には、略中央部に図柄変動表示装置が設置される窓部で構成された表示部６ａが設けられている。 
表示部６ａの周りには装飾部材６ｂや始動入賞口６ｃおよび大入賞口６ｄなどがそれぞれ配置されている。遊技領域下部にはアウト球を回収するアウト口６ｅも設けられており、始動入賞口６ｃや大入賞口６ｄに入賞せずに落下したアウト球を遊技盤３の背面側から機外に排出できるようになっている。
【００２９】
また、前枠２の前面上部側には、遊技盤３を視認できるように透明なガラス盤を備えた前扉７が水平方向に開閉可能かつ着脱可能に設けられ、通常は、施錠装置４により閉鎖状態に保持されて遊技盤３の前面を覆っている。 
前枠２の前面下部側で前扉７の下方には、球受け皿を構成している一体皿８が、前枠２に開閉支持されている背面板（図示されず）に取り付けられて設けてあり、一体皿８は、図示しない施錠装置により通常、閉鎖状態に保持されている。 
一体皿８には、パチンコ球が存在する皿部だけではなく、皿部の正面右側下部に発射ハンドル９が、そして、正面左側下部に灰皿１０等が設けられている。
【００３０】
図２は、図柄変動表示装置６ａの周囲を装飾する装飾部材６ｂの構成を説明するための全体斜視図である。同図において図柄変動表示装置２００は、液晶パネルなどの表示体２０１を裏面側から装着されて遊技盤３の表示部６ａから外部に露呈する飾り部２００Ａ１を前面側に有した支持枠２００Ａで主要部が構成されており、支持枠２００Ａには、表示装置６ａの下側に位置し、遊技球を受け入れる転動部７が設けられている。転動部７は、支持枠２００Ａの下辺部を構成しており、左右水平方向に形成されたステージ（棚）として構成される。
【００３１】
また、支持枠２００Ａの一方の側部材（左側）には、導通路２０２が設けられており、この導通路２０２の上端は、支持枠２００Ａの上部に形成された導入口２００Ｃに、下端は転動部７が遊技球を受け入れる受入口７０１に連通している。導入口２００Ｃに入った遊技球は、重力により導通路２０２内を通過し、受入口７０１から、転動部７内へ受け入れられる。
【００３２】
図３は、転動部７の平面図である。転動部７は、上記受入口７０１から受け入れられる遊技球や、転動部７の下側に位置する釘等で跳ね上げられた遊技球を受け入れ、これらの遊技球を適宜転動させ、所定の排出部から遊技盤３の前面側に排出する作用を有する。
【００３３】
転動部７は、略中央部に設けられ、円弧状に形成された第１案内路７１ａ、７１ｂと、該第１案内路７１によって囲まれた凹部で構成された特定転動部７６、特定転動部７６内に設けられた第２案内路７２、転動部７の両端にそれぞれ配置された第３案内路７３ａ、７３ｂ、第３案内路７３ａ、７３ｂの間に配置され、各第３案内路７３ａ、７３ｂの対向する端部をそれぞれ接続する第４案内路７４、第５案内路７５を備えている。これらの第１〜第５案内路７１ａ、７１ｂ、７２、７３ａ、７３ｂ、７４、７５は、転動部７内に受け入れられた遊技球の転動をガイドするものである。
【００３４】
第１案内路７１ａ、７１ｂは、転動部７の前面から後面へ向けて挿通する中心線Ｌを中心として線対称となる円弧形状に形成されており、円弧の外側が高く設定された段部７１１により案内路が構成される。左右の第１案内路７１ａ、７１ｂは、中心線Ｌ上において、中心線Ｌに対して交差角が鋭角となるように各中心側端部が接続されており、他方の前面側の端部は、排出口７６１に接続されている。特定転動部７６は、上記２つの第１案内路７１ａ、７１ｂに囲まれることにより形成される凹部により構成され、凹部を囲む段部７１１が途切れる前面側が排出口７６１となる。特定転動部７６内に収容された遊技球は、この排出口７６１から、前面側へ排出される。凹部で構成される特定転動部７６の外縁形状は、外側に膨らむ円弧と、中心部で左右の円弧が鋭角状に交差する交差部と、遊技盤３の前面に平行に開口した排出口７６１とによって形付けられる。
【００３５】
図４は、転動部７の中心線Ｌにおける断面側面図である。特定転動部７６の底面７６０は、遊技球が内部に滞留しないように、排出口７６１へ向けて若干傾斜（前側が後側より低い）して構成されている。
【００３６】
特定転動部７６内に転がり込んだ遊技球の一部は、第１案内路７１ａ、７１ｂに案内され、円弧状の軌跡を描きつつ転動する。円弧の軌跡を描きながら転動する際には、遠心力により外側に遊技球を押し付ける作用が生じるので、円弧の外側に形成された段部７１１のみで、遊技球を案内する作用を発揮するものである。
【００３７】
特定転動部７６内において、中心線Ｌに沿って第２案内路７２が形成されている。第２案内路７２は、横断面形状がＶ字型となっている直線的な溝により構成されており、前面側へ向けて横幅が漸増する形状に形成されている。そして、第２案内路７２の基端は、第１案内路７１の端部に接続され、第２案内路７２の先端は、排出口７６１に接続されている。この中心線Ｌは、下方に配置されている始動入賞口６ｃの中心を通る鉛直線と交差している。 
排出口７６１の前面側には、前面側が下段となる段部７６２が形成されている。
【００３８】
このような構成において、排出口７６１の幅（間口）は、遊技球の直径よりも十分大きく、排出口７６１から排出される遊技球は、第２案内路７２によってガイドされて排出される球と、第１案内路７１ａ、７１ｂによってガイドされて排出される球と、第１案内路７１ａ、７１ｂ、第２案内路７２の何れもガイドされずに排出される球とが存在することとなる。段部７６２を介して、排出案内部７７の基端が、排出口７６１に接続されている。排出案内部７７の先端は、転動部７の前面側端まで到達し、排出口７６１から排出された遊技球を、遊技盤３の前面側まで案内する。排出案内部７７は、先端側が低く設定された傾斜を有し、遊技球の転動による排出を促す構成となっている。また、排出案内部７７は、横断面が円弧状の溝として形成され、溝幅は、先端へ向けて漸増し、また、横断面の円弧形状も、先端へ向けて曲率が漸減する構成となっている。この曲率は、遊技球表面の曲率より十分小さく構成され、排出案内部７７内で、横方向に（中心線Ｌに対して水平直交方向に）十分揺動可能な形状に構成されている。
【００３９】
転動部７の両端には、それぞれ第３案内路７３ａ、７３ｂが配置されている。
【００４０】
第３案内路７３ａ、７３ｂは、それぞれ外側に膨らむ円弧状に形成され、外側を上段とする段部７３１によって遊技球が案内される。第３案内路７３ａ、７３ｂは、同じ形状で、中心線Ｌを中心として相互に線対称となる位置に配置される。各第３案内路７３ａ、７３ｂの両端は、それぞれ転動部７の前端と後端に接続され、各端部の間には、第４案内路７４と第５案内路７５が設けられ、これらの第３案内路７３ａ、７３ｂ、第４案内路７４、第５案内路７５によって、ループ状（環状）の案内路が構成される。
【００４１】
第４案内路７４は、転動部７の前端に沿って設けられ、中央部を上記排出案内部７７が横断する構成となっている。第４案内路７４は、中央部が最も低く、両端へ向けて上る傾斜を有しており、第４案内路７４内の遊技球は、中央の排出案内部７７へ向けて転動するように構成されている。 
一方、第５案内路７５は、転動部７の前端に沿って設けられ、中央部分が最も高く、両端へ向けて下る構成となっている。
【００４２】
左右の第３案内路７３ａ、７３ｂの内側は、中央の特定転動部７６へ向けて下る傾斜面７３２ａ、７３２ｂを有し、分岐部７３３ａ、７３３ｂによって、傾斜面７３２ａ、７３２ｂに沿って下る遊技球は、特定転動部７６か、第４案内路７４のいずれかに振り分けられる。 
なお、特定転動部７６の外側には、傾斜面７３２ａ、７３２ｂや、第４案内路７４の間に平面部７８が設けられているが、この平面部７８も前面へ向けて下る傾斜が設定されており、平面部７８内での遊技球の滞留が抑制されている。
【００４３】
以上のように構成された転動部７内における遊技球の動きについて説明する。導入口２００Ｃに入った遊技球は、受入口７０１から、転動部７内へ受け入れられる。このとき、遊技球の移動速度は、運動エネルギーとしては最も高い状態であり、転動部７内を移動する速度が比較的速い状態である。この受け入れられた遊技球は、最初に第４案内路７４内を通過する。遊技球の速度が速いため、第４案内路７４の傾斜を上り、反対側に位置する第３案内路７３ａの前面側端部に到達する。さらに、遊技球は、円弧状段部７３１ａに案内され、第５案内路７５に到達する。
【００４４】
第５案内路７５を上り、通過した遊技球は、受入口７０１が設けられている側の第３案内路７３ｂの端部に到達する。第３案内路７３ｂに達した遊技球は、円弧状段部７３１ｂに案内され、第４案内路７４に到達する。このようにして、遊技球は、転動の勢いがある程度低下するまで、第４案内路７４、第３案内路７３ａ、第５案内路７５、第３案内路７３ｂによって、ループ状の軌跡を形成し、転動する。このように、円弧状の第３案内路７３ａ、７３ｂによって、遊技球の動きがガイドされるため、受入口７０１から受け入れられた遊技球の勢いが殺がれ難く、遊技球の勢いをより長く維持させることができ、遊技の興趣性を向上させることができる。
【００４５】
上記ループ経路を通過する遊技球の勢いが減少すると、各部の傾斜に沿って遊技球が転動し、排出案内部７７から、遊技盤３の前面側へ排出される。例えば、第４案内路７４内で、第４案内路７４の傾斜を上る勢いが無くなれば、傾斜によって中央の排出案内部７７に遊技球が導かれ、排出される。 
また、第５案内路７５内で、第５案内路７５の傾斜を上る勢いが無くなれば、傾斜に沿って、左右どちらかの端部へ遊技球が転動し、左右の傾斜面７３２ａ、７３２ｂによって、特定転動部７６又は、第４案内路７４へ導かれる。
【００４６】
特定転動部７６に転入した遊技球は、例えば、第１案内路７１ａの前面側端部に接続されれば、転動方向を円弧状に案内されて、第１案内路７１ａの中央端まで案内され、第２案内路７２に接続され、排出口７６１から、略中心線Ｌに沿って排出され、始動入賞口６ｃに最も入りやすい位置から落下することとなる。また、この場合、遊技球が排出口７６１の段部７６２を通過する際に、通過ルートが微妙に変化し、始動入賞口６ｃに落下するルートが外れる場合もあり、遊技球のルートにバリエーションが加わる。 
また、第１案内路７１ａの中央端まで案内された遊技球であっても、勢いが強い場合には、第２案内路７２に接続されることなく、第２案内路７２を通過してしまう場合もある。
【００４７】
さらに、第１案内路７１ａにガイドされない遊技球であっても、特定転動部７６内を転動している際に、第２案内路７２に載り、第２案内路７２のルートを取る場合もある。また、底面７６０は、傾斜しているため、この傾斜に沿って第１案内路７１ａ、７１ｂの前面側端部から排出される遊技球も存在する。
【００４８】
排出口７６１には、段部７６２が設けられているので、排出口７６１に到達した遊技球は、段部７６２に下段へ落下し、排出が促進される。また、排出案内部７７を通過して遊技球が排出される際、受入口７０１からの遊技球と接触する場合もあり、遊技球の動きには不測の動きも加えられる。
【００４９】
また、遊技盤３の表面に設けられた釘に弾かれて転動部７内に受け入れられた遊技球は、転動部７内の何れの位置に受け入れられたとしても、傾斜面７３２ａ、７３２ｂ等により、最終的に特定転動部７６又は、排出案内部７７内に案内され、遊技盤３の前面側に排出される。
【００５０】
以上のように構成された転動部７における特定転動７６の形状は、円弧状の第１案内路７１ａ、７１ｂで構成され、第２案内路７２への接続を容易とするために、中央部に鋭角状の交差部７９が設けられているが、この交差部７９を設けずに、全体として左右方向に長い楕円形状であってもよい。
【図面の簡単な説明】
【００５１】
【図１】本発明の遊技機の全体正面図である。
【図２】本発明の遊技機に用いられる図柄変動表示装置の全体斜視図である。
【図３】本発明の遊技機の転動部を示す全体平面図である。
【図４】本発明の遊技機の転動部を示す断面側面図である。
【符号の説明】
【００５２】
１００      遊技機
２００      図柄変動表示装置
７          転動部
７０１      受入口
７１        第１案内路
７２        第２案内路
７３        第３案内路
７４        第４案内路
７５        第５案内路
７６        特定転動部
７６１      排出口
７７        排出案内部
６ｃ        始動入賞口
【図１】
2006230826.tif 000003
【図２】
2006230826.tif 000004
【図３】
2006230826.tif 000005
【図４】
2006230826.tif 000006